(57)【特許請求の範囲】
【請求項１】
被測定物の搬送位置を挟む位置に弓状に対向して設けられる一対の帯状の弾性体であって、各弾性体の第１の端部は固定され、各弾性体の第２の端部にはコイルが設けられ、前記第２の端部が前記搬送位置を搬送される被測定物の両面に摺動して接するように、互いに押し合うように設置される一対の弾性体と、
この一対の弾性体における前記第２の端部の間隙を上記弾性体に設けたコイルを用いて測定する測定手段と、
この測定手段の結果から上記被測定物の厚さを検知する検知手段と、
を具備してなることを特徴とする厚さ検知装置。
【請求項２】
上記弾性体は１枚または複数枚から構成されることを特徴とする請求項１に記載の厚さ検知装置。
【請求項３】
上記弾性体に粘着体を配して一体化し、この粘着体を上記弾性体の緩衝体としたことを特徴とする請求項１に記載の厚さ検知装置。
【請求項４】
上記弾性体が被測定物に摺動して接する面に耐摩耗性体を配置したことを特徴とする請求項１に記載の厚さ検知装置。
【請求項５】
上記弾性体の対を被測定物の搬送方向と直角方向に複数配置したことを特徴とする請求項１に記載の厚さ検知装置。
【請求項６】
搬送路に沿って搬送される被搬送物の厚さを検知する厚さ検知装置において、
上記搬送路に対向し、互いの端部が弾性力を持たせた状態で摺接して設けられ、緩衝作用を有する両面テープと、この両面テープの搬送路と反対側の面に接着された第１の弾性フィルムと、上記両面テープの搬送路側の面に接着された第２の弾性フィルムと、上記第２の弾性フィルムの端部の搬送路側の面に設けられ搬送路によって搬送される被搬送物による摩耗を防止する耐摩耗性体と、上記第１の弾性フィルムの端部の両面に設けられ結合されている第１、第２のコイルとからなる第１、第２の弾性体と、
上記第１の弾性体の第１、第２のコイルと、上記第２の弾性体の第１、第２のコイルとの間隔に対応したインピーダンスに基づいて、上記搬送される被搬送物の厚みに応じた検知信号を出力する検知手段と、
を具備したことを特徴とする厚さ検知装置。
【請求項７】
被測定物の搬送位置を挟む位置に対向して設け、被測定物の両面に先端部が摺動して接し、被測定物側の先端部にコイルを設けた一対の弾性体と、
この一対の弾性体の先端部の間隙を上記弾性体に設けたコイルを用いて測定する測定手段と、
この測定手段の結果から上記被測定物の厚さを検知する検知手段と、を具備し、
上記弾性体は１枚または複数枚から構成されることを特徴とする厚さ検知装置。
【請求項８】
被測定物の搬送位置を挟む位置に対向して設け、被測定物の両面に先端部が摺動して接し、被測定物側の先端部にコイルを設けた一対の弾性体と、
この一対の弾性体の先端部の間隙を上記弾性体に設けたコイルを用いて測定する測定手段と、
この測定手段の結果から上記被測定物の厚さを検知する検知手段と、を具備し、
上記弾性体は、当該弾性体の緩衝体とする粘着体を配して一体化されていることを特徴とする厚さ検知装置。
【発明の詳細な説明】
【０００１】
【発明の属する技術分野】
この発明は、たとえば、搬送される紙葉類等の被測定物の厚さを検知する厚さ検知装置に関する。
【０００２】
【従来の技術】
従来、被測定物、例えば、ベルトに挟持して搬送される紙葉類の厚み検知装置は、軸を固定したローラと上下移動が可能な支持構造のローラを対向させて一対とし、ローラ間を紙葉類が通過するときの可動ローラの変位量を厚みとして検知している。この場合、搬送方向に直角方向の厚みの分布を測定するには複数個のローラ対を並べる。
【０００３】
また、他の検知方法を用いる装置としては、光学式距離計を被測定物の上下に対向して設置し、被測定物までの距離をそれぞれ測定して、両測定結果の差を厚さとして検知するものがある。
【０００４】
ローラの変位によって厚さを検知する方式では、ローラが或程度の重量を持つため、ローラで被測定物としての紙葉類の紙詰り（ジャム）が発生したり、走行する被測定物の先端突入や後端の抜け或いはテープを貼付したような急激な変化に対する追従性が悪く検知速度に限界がある。また、ローラ対を複数個並べて幅方向の厚み分布を検知する場合にはローラ支持部材等のためにローラを密着して設置することが出来ず幅方向の分解能をあげることが難しい。さらには、被測定物が走行中に厚み方向に揺動すると揺動をローラの変位量として測定するため精度が悪くなるなどの問題がある。製造上からはローラやローラ支持部材の加工精度をあげてローラ回転時のがたつきを小さく押さえて測定精度を確保するため製造価格が高価となる。
【０００５】
また、光学式距離計を用いて厚さを検知する方式では、被測定物の色彩によって光の反射光量が異なるため測定結果に誤差を生じ、厚さ検知の誤差になる。また、色彩による影響のない光学式距離計は高価で外形寸法が大きいため設置場所が限られるなどの問題がある。
【０００６】
このため、被測定物の厚さを高速で精度が良く検知でき、かつ厚さの分布の検知能力を容易に上げることができ、被測定物の色彩に影響を受けない安価で設置場所が大きくなることがない厚さ検知装置が要望されている。
【０００７】
【発明が解決しようとする課題】
上記のように、この発明は、被測定物の厚みの急激な変化に対する追従性を良くして高速で走行する紙葉類の厚みと厚み変化の検知を可能にし、幅方向に検知部を接近して設置することができると共に、被測定物の厚み方向の揺動による影響を受けることなく、また色彩に影響を受けない安価なものが要望されているもので、被測定物の厚みの急激な変化に対する追従性を良くして高速で走行する紙葉類の厚みと厚み変化の検知を可能にし、幅方向に検知部を接近して設置することが出来ると共に、被測定物の厚み方向の揺動による影響を受けることなく、また色彩に影響を受けない安価な厚み検知装置を提供することを目的とする。
【０００８】
【課題を解決するための手段】
この発明の厚さ検知装置は、被測定物の搬送位置を挟む位置に弓状に対向して設けられる一対の帯状のものであって、各弾性体の第１の端部は固定され、各弾性体の第２の端部にはコイルが設けられ、前記第２の端部が前記搬送位置を搬送される被測定物の両面に摺動して接するように互いに押し合うように設置される一対の弾性体、この一対の弾性体の第２の端部の間隙を上記弾性体に設けたコイルを用いて測定する測定手段と、およびこの測定手段の結果から上記被測定物の厚さを検知する検知手段から構成されている。
【０００９】
この発明の厚さ検知装置は、搬送路にそって搬送される被搬送物の厚さを検知するものにおいて、上記搬送路に対向し、互いの端部が弾性力を持たせた状態で摺接して設けられ、緩衝作用を有する両面テープと、この両面テープによって接着される搬送路と反対側の第１の弾性フィルムと、上記両面テープによって接着される搬送路側の第２の弾性フィルムと、上記第２の弾性フィルムの端部の搬送路側に設けられ搬送路によって搬送される被搬送物による摩耗を防止する耐摩耗性体と、上記第１の弾性フィルムの端部の両面に設けられ結合されている第１、第２のコイルとからなる第１、第２の弾性体、および上記第１の弾性体の第１、第２のコイルと、上記第２の弾性体の第１、第２のコイルとの間隔に対応したインピーダンスに基づいて、上記搬送される被搬送物の厚みに応じた検知信号を出力する検知手段から構成されている。
この発明の厚さ検知装置は、被測定物の搬送位置を挟む位置に対向して設け、被測定物の両面に先端部が摺動して接し、被測定物側の先端部にコイルを設けた一対の弾性体と、この一対の弾性体の先端部の間隙を上記弾性体に設けたコイルを用いて測定する測定手段と、この測定手段の結果から上記被測定物の厚さを検知する検知手段と、を具備し、上記弾性体は１枚または複数枚から構成される。
この発明の厚さ検知装置は、被測定物の搬送位置を挟む位置に対向して設け、被測定物の両面に先端部が摺動して接し、被測定物側の先端部にコイルを設けた一対の弾性体と、この一対の弾性体の先端部の間隙を上記弾性体に設けたコイルを用いて測定する測定手段と、この測定手段の結果から上記被測定物の厚さを検知する検知手段と、を具備し、上記弾性体は、当該弾性体の緩衝体とする粘着体を配して一体化されている。
【００１０】
【発明の実施の形態】
以下、この発明の実施の形態について図面を参照して説明する。
【００１１】
図１は、この発明の実施の形態に係わる厚み検知装置の構成図である。被測定物１は紙葉類等であり、図示しない搬送ベルト等の搬送手段により挟持されながら矢印Ａ方向に走行されるものである。弾性体２、３は一端を支持部６ａ、６ｂにより固定されて、被測定物１の両側に配置されている。弾性体２、３の他端は被測定物１の両側のそれぞれの面に接触して互いに押し合うように設置する。被測定物１の面に接する弾性体２、３の反対側にはそれぞれコイル４、５を設置してある。コイル４、５の端子線７、８は、後述する回路に接続されるものである。なお、被測定物１の搬送手段は、上記厚さ検知装置の前後に設けられる搬送ローラにより搬送されるものであっても良い。
【００１２】
図２は、図１の構成の平面図を示すものである。図２に示すように、上記弾性体２は、支持部６ａに一端が支持されている細長い帯状の形状をしており、他端の被測定物１に接する部分（先端部）にコイル４が設置されている。上記弾性体３は、図２に示すような弾性体２と同一の構成となっており、弾性体２の先端部に設けられているコイル４と弾性体３の先端部に設けられているコイル５とが対向するようになっている。
【００１３】
図１、２において、被測定物１が無い場合は弾性体２、３は互いに押し合う様に接触している。被測定物１が矢印Ａの方向に走行して弾性体２、３の間に入ると弾性体２は矢印Ｂ、弾性体３は矢印Ｃの方向に押し広げられる。
【００１４】
図３は弾性体２、３の詳細を示したものである。図３に示すように、弾性体２は、弾性フィルム（ポリイミドフィルム等）２ａ、２ｂが、たとえば両面粘着テープなどの粘着体２ｃで一体化されている。この粘着体としては、弾性フィルム２ａ、２ｂの振動に対するダンピング作用（緩衝体）を持たせて利用している。なお、弾性体３も弾性体２と同様に弾性フィルム３ａ、３ｂが粘着体３ｃで一体化されている。コイル４（４1、４2）およびコイル５（５1、５2）は弾性フィルム２ａおよび弾性フィルム３ａ上に設けたプリントコイルにより構成されるものである。耐摩耗性体９は、被測定物１が弾性フィルム２ｂおよび弾性フィルム３ｂと摺動するために弾性体２、３が摩耗するのを防止するものである。耐摩耗性体９は、耐摩耗性材料をコーティング等により弾性フィルム２ｂ、３ｂに固着したもので、ＤＬＣ（ダイヤモンドライクカーボン）薄膜（例えば０．８ミクロンの厚さ）やセラミックス薄膜等で構成する。
【００１５】
上記耐摩耗性体９は、弾性体２、３と被測定物１とが接触する部分が摺動するため摩耗してコイル４、５間の間隙が徐々に小さくなって出力信号が変化したり、コイル４、５自体が摩滅することを防ぐものである。図３に示すように、弾性フィルム２ｂおよび弾性フィルム３ｂの被測定物１と直接接触する部分に耐摩耗性体９を固着させて、弾性フィルム２ｂ、３ｂの摩耗を防止する。発明者らの実験によれば、弾性フィルム２ｂ、３ｂをポリイミドフィルムとして、耐摩耗性体９を設置しない場合には被測定物１として紙葉を３０万枚通過させるとほとんど減摩したが、耐摩耗性体９としてＤＬＣ膜を施行した場合１０００万枚以上通しても減摩は無く長期間使用可能であった。
【００１６】
図４、図５はコイル４の構造を示すものである。図４、図５に示すように、コイル４（４1、４2）は、例えば弾性フィルム２ａの先端部に導電性のプリントワイヤを渦巻き状にしてコイル４ａを構成し、弾性フィルム２ａの先端部の裏面に表面と同様に同じ巻き方向のコイル４ｂを構成し、さらに、スルーホール導体４ｃにより表裏のコイル４ａ、４ｂが結合されている。このコイル４ａ、４ｂは端子４ｄ、４ｅで端子線７、８と接続されている。なお、コイル５（５1、５2）はコイル４と同一な構成で、コイル４と対向するように設けられる。
【００１７】
図６は図１の弾性体２、３の対を複数個配列した実施形態を示すものある。図６に示すように、それぞれ一対の弾性体１０ａ、１０ｂ、１０ｃ、…、１０ｎを被測定物１の搬送方向に対して直角方向（幅方向）に並ベて、それぞれの弾性体の対１０ａ、…により被測定物１の厚みの検知し、被測定物１の幅方向において、厚さを検知することにより被測定物の厚さの分布を検知するものである。このように、弾性体２、３の対を複数個、被測定物１の幅方向に並べることにより、被測定物１の幅方向の厚み分布を測定する事ができる。また、それぞれの弾性体の幅を小さくすることにより弾性体の対の数などを増やして厚み分布の分解能を上げることができる。
【００１８】
図７は厚み信号検出回路２０を示すものである。
【００１９】
図７に示すように、ブリッジ回路１２は、２個の固定抵抗器Ｒ１、Ｒ２とコイル４、５を上記端子線７、８により直列につないで構成した検出コイル１２ａと、コイル４、５と同様にプリントコイル２枚を一定の間隙を持たせて重ね合わせ各々のコイルＤ１、Ｄ２を直列につないで構成したダミーコイル１２ｂから構成する。検出コイル１２ａとダミーコイル１２ｂとはインビーダンス値の差を調整する図示しないバランス調整用抵抗器によりブリッジ回路１２がバランス状態となるように接続される。なお、ダミーコイル１２ｂは、温度などの環境変化によって検出コイル１２ａの出力が変動することにより生ずる誤差を少なくするために設けているものである。
【００２０】
交流発振回路１３はブリッジ回路１２に交流電圧を供給して付勢するものである。交流発振回路１３からの交流電圧は、抵抗Ｒ１と検出コイル１２ａにより分圧された値と、抵抗Ｒ２とダミーコイル１２ｂとにより分圧された値とが、差動増幅回路１４に供給される。この差動増幅回路１４のコイル４、５の変化に応じた厚み信号の出力は、同期検波回路１５に供給される。位相設定回路１６は交流発振回路１３から上記ブリッジ回路１２への交流電圧と同じ交流電圧が供給され、その交流信号を所望の設定位相にして同期検波回路１５に供給するものである。同期検波回路１５は、差動増幅回路１４からの被測定物の厚み信号に対して位相設定回路１６からの感度の高い位相条件のもとで検波整流されてフィルタ・増幅回路１７へ出力される。フィルタ・増幅回路１７は同期検波回路１５で検波整流された信号のリップルを低減し厚み信号を直流電圧（平均値をとって直流化する）として出力する。
【００２１】
次に、上記のように構成された厚さ検知装置の作用について説明する。
【００２２】
図１、２において、被測定物１が無い場合は弾性体２、３は互いに押し合う様に接触しており被測定物１が矢印Ａの方向に走行して弾性体２、３の間に挿入されると弾性体２は矢印Ｂ、弾性体３は矢印Ｃの方向に押し広げられ、コイル４とコイル５の間隙が大きくなる。
【００２３】
この際、被測定物１が揺動して矢印Ｂに変位した場合、弾性体２は被測定物１により押し上げられて変形し、弾性体３は復元力により被測定物１に追随して矢印Ｂ方向に変形するためコイル４とコイル５の間隙は変化しない。被測定物１が矢印Ｃ方向に変位しても同様に弾性体２、３は追随して変形する。従って、被測定物１の揺動に対してコイル４、５の間隙は変化することがないため厚み検知信号も変化しない。
【００２４】
また、被測定物１が弾性体２、３の間に先端の突入や後端の抜けする場合、弾性体２、３の先端は急激に変位すると共に振動する。この振動を抑制するため弾性体２、３には、図３に示すように弾性体２、３を構成する弾性フィルム２ａ、２ｂ及び弾性フィルム３ａ、３ｂの間を緩衝体（粘性体）である両面粘着テープ２ｃ、３ｃで貼り合わせ、この両面粘着テープ２ｃ、３ｃの粘性により緩衝作用を持たせるものである。
【００２５】
コイル４、５の間隙が変化するとコイル４、５の結合インビーダンスが変化するため、図７に示すブリッジ回路１２のバランス状態が崩れて差動増幅回路１４の交流出力電圧が変化し、フィルタ・増幅回路１７の直流出力信号が変化する。そして、このフィルタ・増幅回路１７の直流出力信号により搬送速度および基準電圧等の条件に基づいて被測定物１の厚さを判断する。
【００２６】
図８は、厚み信号検出回路２０の出力信号の例を示すものである。
【００２７】
図８は、被測定物１として、厚み８０μｍの紙片に厚み６０μｍのセロハンテープを断続的に貼り付けたものを走行速度９ｍ／ｓで搬送した際に検出した結果である。図８において、Ａ点からＧ点が紙片の長さを示すものであり、Ｂ、Ｃ、Ｄ、Ｅ、及びＦ点が紙片に厚さ６０μｍのセロハンテープが貼り付けられている部分を示す波形である。この場合、Ｂ、Ｄ点は１８ｍｍ、Ｃ点は４０ｍｍ、Ｅ点は３ｍｍ、Ｆ点は５ｍｍの幅でセロハンテープが貼り付けてある。このように、高速（９ｍ／ｓ）で搬送されて走行しているセロハンテープの貼り付けられている紙片の厚みの変化を追従性良く明確に検知することができる。
【００２８】
なお、検知する被測定物１の厚さが予め決まっているような場合、図８の破線で示すように、基準電圧を設定し、その基準電圧（たとえば０．３Ｖ）よりも大きな値が出力された際に、被測定物１の厚さが所定の厚さよりも厚いことを判断したり、あるいは基準電圧（たとえば０．１Ｖ）よりも小さい値が出力された際に、その被測定物１の厚さが所定の厚さよりも薄いことを判断するようにしても良い。
【００２９】
上記したように、１枚または複数枚の弾性フィルムからなる帯状の対をなす弾性体を被測定物を挟むように配し、各々の一端を支持、他端を対向して接触し互いに押し合うように設置して、この接触部に被測定物である紙葉類を通したときに生じる間隙を各々の弾性体の接触部で被測定物に直接接触しない面側に設けた検出部のコイルを介して電気信号として検出するようにしたものである。
【００３０】
これにより、被測定物の厚みの急激な変化に対する追従性を良くして高速で走行する紙葉類の厚みと厚み変化の検知を可能にし、幅方向に検出部を接近して設置することが出来ると共に、被測定物の厚み方向の揺動による影響を受けることなく、また色彩に影響を受けない安価な厚み検知装置を提供できる。
【００３１】
また、弾性体は構成部材に弾性フィルムや両面粘着テープ及びプリントコイルを適用し、さらに、上記弾性体を構成する１枚又は複数枚の弾性フィルムは粘着体により貼り合わせ、この粘着体を弾性フィルムが被測定物の厚みの急激な変化により生じる振動を抑制するための緩衝体とする。
【００３２】
これにより、弾性体の重量が小さく弾性体が復元力をもつため急激な厚みの変化に対し高速で追従が可能となり、一方、弾性体に貼付した緩衝体が弾性体の振動を抑制して厚みの変化に振動することなく追従することが出来る。
【００３３】
また、コイルには交流電流を付勢して被測定物によるコイルの間隙の変化をコイルのインピーダンスあるいは２次誘起電圧等の変化として検出し、上記コイルは上記弾性体を構成する弾性フィルムの少なくとも１枚に設置したプリントコイルとし、弾性体が対向して接触する部分即ち被測定物と接触する部分には耐摩耗性薄膜を施着させる。
【００３４】
これにより、弾性体と被測定物との摩擦により弾性体の接触部分が摩耗してコイルの間隙が変化して検出信号が変化することを防ぐことができる。
【００３５】
また、幅方向の厚みの分布を検知するには、上記弾性体対を被測定物の幅方向に複数対配置する。この際、弾性体を幅方向に接触しない間隔で配置すれば弾性体間の間隔は小さくできるため、検出出来ない部分を少なくできると共に検出能力に影響を与えない範囲でコイルの幅を狭くすれば弾性体の幅も小さくできるため分解能をあげることができる。
【００３６】
また、弾性体を対向して押し合うように配置するため、被測定物が揺動してもそれぞれの弾性体は被測定物に追従して揺動するため厚みの間隙は保持され、被測定物の揺動に関係なくコイルにより厚みを検知できる。
【００３７】
また、回転部がなく固定支持と弾性体の復元力による検知のため、がたつきの影響が無く、製作精度もローラ方式ほど要らないため安価となる。
【００３８】
また、被測定物に接触して厚みを検知するため、光学式のような被測定物の色彩の影響を受けることもない。
【００３９】
【発明の効果】
以上詳述したように、この発明によれば、被測定物の厚みの急激な変化に対する追従性が良く、高速で走行する紙葉類の厚みと厚みの変化の検知を可能とし、幅方向に検知部を接近して複数個設置することが出来るとともに、厚み方向の揺動の影響を受けない安価な厚み検知装置を提供できる。
【図面の簡単な説明】
【図１】この発明の実施の形態に係わる厚み検知装置の概略構成図。
【図２】厚み検知装置の平面図。
【図３】厚み検知装置の要部の構成を説明するための図。
【図４】弾性フィルムにおけるコイルの構成を示す平面図。
【図５】弾性フィルムにおけるコイルの構成を示す図。
【図６】厚さ検知装置の変形例を示す構成図。
【図７】厚み信号検出回路を示すブロック図。
【図８】厚み信号検出回路の出力例を示す図。
【符号の説明】
１…被測定物（被搬送物）
２、３…弾性体
２ａ、２ｂ、３ａ、３ｂ…弾性フィルム
２ｃ、３ｃ…粘着体（緩衝体）
４、５…コイル
４ａ、ｂ、５ａ、ｂ…プリントコイル
４ｃ、５ｃ…スルーホール導体
６…支持部
９…耐摩耗性体
１０…複数の弾性体の対
２０…厚み信号検出回路
【図１】
0003844857.tif 000002
【図２】
0003844857.tif 000003
【図３】
0003844857.tif 000004
【図４】
0003844857.tif 000005
【図５】
0003844857.tif 000006
【図６】
0003844857.tif 000007
【図７】
0003844857.tif 000008
【図８】
0003844857.tif 000009